(57)【特許請求の範囲】
【請求項１】
光磁気ディスクを保持するとともに、上記光磁気ディスクに対し情報信号の書き込み及び読み出しを行うディスクドライブ部に対して移動可能に支持されるホルダ部材と、
上記ホルダ部材を、上記光磁気ディスクに対し情報信号の書き込み又は再生を行う上記ディスクドライブに近接した下降位置と、当該下降した位置よりさらに上記ディスクドライブ部から離間した上記光磁気ディスクの挿入又は排出を行う上昇位置との間を移動させる移動手段と、
基端側を可動可能に支持され先端側に磁気ヘッドが取り付けられたヘッドアームと、
上記ヘッドアームを上記ディスクドライブ部に近接する方向に回動付勢する付勢手段と、
上記ホルダ部材が上記ディスクドライブ部に対向する上昇位置にあるとき、上記ヘッドアームを上記付勢手段の付勢力に抗して上記上昇位置より更に上昇した位置に保持し、上記ホルダ部材が上記ディスクドライブ部に近接した位置に移動された状態で記録モードが選択されたとき、上記ヘッドアームの保持を解除して上記磁気ヘッドを上記ディスクドライブ部に装着された光磁気ディスクに摺接させ、上記ホルダ部材が上記ディスクドライブ部に近接した位置に移動された状態で再生モードが選択されたとき、上記磁気ヘッドを上記ディスクドライブ部に装着された光磁気ディスクから離間させた上記上昇位置より更に上昇した位置と上記磁気ヘッドを上記光磁気ディスクに摺接させた位置との間の中間位置に上記ヘッドアームを保持するヘッド昇降操作機構と
を備えることを特徴とするディスクローディング機構。
【請求項２】
光磁気ディスクに対する情報信号の書き込み及び読み出しを行うディスクドライブ部と、
光磁気ディスクを保持するとともに、上記光磁気ディスクに対し情報信号の書き込み及び読み出しを行うディスクドライブ部に対して移動可能に支持されるホルダ部材と、
上記ホルダ部材を、上記光磁気ディスクに対し情報信号の書き込み又は再生を行う上記ディスクドライブに近接した下降位置と、当該下降した位置よりさらに上記ディスクドライブ部から離間した上記光磁気ディスクの挿入又は排出を行う上昇位置との間を移動させる移動手段と、
基端側を可動可能に支持され先端側に磁気ヘッドが取り付けられたヘッドアームと、
上記ヘッドアームを上記ディスクドライブ部に近接する方向に回動付勢する付勢手段と、
上記ホルダ部材が上記ディスクドライブ部に対向する上昇位置にあるとき、上記ヘッドアームを上記付勢手段の付勢力に抗して上記上昇位置より更に上昇した位置に保持し、上記ホルダ部材が上記ディスクドライブ部に近接した位置に移動された状態で記録モードが選択されたとき、上記ヘッドアームの保持を解除して上記磁気ヘッドを上記ディスクドライブ部に装着された光磁気ディスクに摺接させ、上記記ホルダ部材が上記ディスクドライブ部に近接した位置に移動された状態で再生モードが選択されたとき、上記磁気ヘッドを上記ディスクドライブ部に装着された光磁気ディスクから離間させた上記上昇位置より更に上昇した位置と上記磁気ヘッドを上記光磁気ディスクに摺接させた位置との間の中間位置に上記ヘッドアームを保持するヘッド昇降操作機構と
を備えることを特徴とするディスク記録再生装置。
【発明の詳細な説明】
【０００１】
【産業上の利用分野】
本発明は、光ディスク等の記録ディスクを記録媒体として用いるディスク記録再生装置に用いられるディスクローディング機構及びこのディスクローディング機構を用いたディスク記録再生装置に関する。
【０００２】
【従来の技術】
従来、光磁気ディスクや光ディスク等の記録ディスクを情報信号の記録媒体として用いるディスク記録及び／又は再生装置が提案されている。
【０００３】
この種のディスク記録及び／又は再生装置は、筺体内にディスクドライブ部を設けている。ディスクドライブ部は、スピンドルモータ、光学ピックアップ装置や磁気ヘッド装置等を有し、記録ディスクが装着されることにより、この記録ディスクに対し情報信号の書込み又は読出しを行う。
【０００４】
ここで、記録媒体として用いられる光磁気ディスクは、光学ピックアップ装置から出射される光ビームを集光させて信号記録層に照射し、信号記録層を局所的に加熱し、この加熱された部分の信号記録層に記録すべき情報信号に応じて変調された外部磁界を印加することにより情報信号の書込みが行われる。光磁気ディスクを記録媒体に用いる記録及び再生装置は、情報信号の書込みを行う記録モードでは、光学ピックアップ装置が駆動されるとともに、磁気ヘッドから信号記録層に対して充分な磁界が印加されるように、磁気ヘッドが光磁気ディスクに摺接した状態となされる。
【０００５】
そして、光磁気ディスクあるいは再生専用型の光ディスクから情報信号の読出しは、光学ピックアップ装置より出射され、光磁気ディスク又は光ディスクから反射される光ビームを光検出器により検出することによって行われる。このとき、情報信号に記録用に用いられる磁気ヘッドは、光磁気ディスク等の記録ディスクに摺接させる必要はない。
【０００６】
このようなディスク記録及び／又は再生装置には、記録ディスクを筺体の前面パネルに形成されたディスク挿脱口より挿入してディスクドライブ部に装着させるように構成されたものが用いられている。これは、フロントローディングタイプと称されるディスク記録及び／又は再生装置であり、ディスク挿脱口近傍とディスクドライブ部との間に亘って記録ディスクの搬送を行うローディング機構を備えている。ここで用いられる記録ディスクは、カートリッジに回転可能に収納されてディスクカートリッジとして構成されている。
【０００７】
記録ディスクを収納したディスクカートリッジを用いるフロントローディングタイプのディスク記録及び／又は再生装置のローディング機構は、ディスクカートリッジが挿入保持されるカートリッジホルダを有している。このカートリッジホルダは、筺体内に移動可能に支持され、移動操作手段によってディスクカートリッジを保持した状態でディスクドライブ部側に移動される。カートリッジホルダは、ディスクカートリッジをディスクドライブ部上まで搬送してディスクドライブ部に装着させる。
【０００８】
【発明が解決しようとする課題】
ところで、上述のようなディスク記録及び再生装置において、情報信号の記録を可能とする光磁気ディスクが装着された場合には、磁気ヘッドを光磁気ディスクに摺接させ、再生専用型の光ディスクが装着された場合には、磁気ヘッドを光ディスクより離間させるように構成されたものがある。
【０００９】
このようなディスク記録及び再生装置には、ディスクカートリッジを構成するカートリッジの一部に、このカートリッジが収納している記録ディスクが情報信号の記録を可能とする光磁気ディスクであるか再生専用型の光ディスクであるかを判別するための判別部を予め設けておき、この判別部の判別結果に応じて磁気ヘッドの位置を制御するように構成されたものがある。ここで用いられる判別部としては、収納されている記録ディスクが光磁気ディスクの場合と光ディスクの場合とにより深さの異にする穴等が用いられる。このような判別部を判別するための機構は、押圧されてスイッチング操作されるマイクロスイッチ等をディスクドライブ部の基台上に設けることにより構成される。
【００１０】
ところで、このようなディスク記録及び再生装置は、光磁気ディスクが装着されたときに、情報信号の書込みを行うときのみならず、情報信号の読出しを行うときにおいても、磁気ヘッドが光磁気ディスクに摺接されてしまう。そのため、情報信号の書込みが行われる頻度よりも高い頻度で磁気ヘッドの光磁気ディスクに対する摺接が行われ、磁気ヘッド及び光磁気ディスクの磨耗を促進してしまっている。
【００１１】
なお、ディスク記録及び再生装置が記録モードであるかを判別して、この判別結果に基づいて磁気ヘッドを移動操作することが考えられるが、装置構成が複雑化するばかりか大型化を招くことになってしまう。
【００１２】
そこで、本発明は、上述の実情に鑑みて提案されるものであって、構成の複雑化や大型化を招来することなく、記録モードの実行時のみにヘッドの記録ディスクへの摺接を行い、ヘッド及び記録ディスクの磨耗を抑えることのできるヘッド昇降機構を提供することを目的とする。
【００１３】
また、本発明は、構成の複雑化や大型化を招くことなくヘッド昇降機構を備えたディスクカートリッジローディング機構を提供することを目的とする。
【００１４】
【課題を解決するための手段】
上述の課題を解決し上記目的を達成するために提案される本発明に係るディスクローディング機構は、光磁気ディスクを保持するとともに、上記光磁気ディスクに対し情報信号の書き込み及び読み出しを行うディスクドライブ部に対して移動可能に支持されるホルダ部材と、上記ホルダ部材を、上記光磁気ディスクに対し情報信号の書き込み又は再生を行う上記ディスクドライブに近接した下降位置と、当該下降した位置よりさらに上記ディスクドライブ部から離間した上記光磁気ディスクの挿入又は排出を行う上昇位置との間を移動させる移動手段と、基端側を可動可能に支持され先端側に磁気ヘッドが取り付けられたヘッドアームと、上記ヘッドアームを上記ディスクドライブ部に近接する方向に回動付勢する付勢手段と、上記ホルダ部材が上記ディスクドライブ部に対向する上昇位置にあるとき、上記ヘッドアームを上記付勢手段の付勢力に抗して上記上昇位置より更に上昇した位置に保持し、上記ホルダ部材が上記ディスクドライブ部に近接した位置に移動された状態で記録モードが選択されたとき、上記ヘッドアームの保持を解除して上記磁気ヘッドを上記ディスクドライブ部に装着された光磁気ディスクに摺接させ、上記ホルダ部材が上記ディスクドライブ部に近接した位置に移動された状態で再生モードが選択されたとき、上記磁気ヘッドを上記ディスクドライブ部に装着された光磁気ディスクから離間させた上記上昇位置より更に上昇した位置と上記磁気ヘッドを上記光磁気ディスクに摺接させた位置との間の中間位置に上記ヘッドアームを保持するヘッド昇降操作機構とを備える。
【００１５】
本発明に係るディスクローディング機構は、記録モード時において、上記ヘッドがディスクドライブ部に装着された記録ディスクに書き込みを行う上記記録ディスクに摺接した位置に位置するように上記ヘッドアームを位置決めする位置決め部を更に備える。この位置決め部は、記録ディスクをディスクドライブ部に対し位置決めを行う部材に一体的に設けられている。
【００１６】
また、本発明に係るディスク記録再生装置は、光磁気ディスクに対する情報信号の書き込み及び読み出しを行うディスクドライブ部と、光磁気ディスクを保持するとともに、上記光磁気ディスクに対し情報信号の書き込み及び読み出しを行うディスクドライブ部に対して移動可能に支持されるホルダ部材と、上記ホルダ部材を、上記光磁気ディスクに対し情報信号の書き込み又は再生を行う上記ディスクドライブに近接した下降位置と、当該下降した位置よりさらに上記ディスクドライブ部から離間した上記光磁気ディスクの挿入又は排出を行う上昇位置との間を移動させる移動手段と、基端側を可動可能に支持され先端側に磁気ヘッドが取り付けられたヘッドアームと、上記ヘッドアームを上記ディスクドライブ部に近接する方向に回動付勢する付勢手段と、上記ホルダ部材が上記ディスクドライブ部に対向する上昇位置にあるとき、上記ヘッドアームを上記付勢手段の付勢力に抗して上記上昇位置より更に上昇した位置に保持し、上記ホルダ部材が上記ディスクドライブ部に近接した位置に移動された状態で記録モードが選択されたとき、上記ヘッドアームの保持を解除して上記磁気ヘッドを上記ディスクドライブ部に装着された光磁気ディスクに摺接させ、上記記ホルダ部材が上記ディスクドライブ部に近接した位置に移動された状態で再生モードが選択されたとき、上記磁気ヘッドを上記ディスクドライブ部に装着された光磁気ディスクから離間させた上記上昇位置より更に上昇した位置と上記磁気ヘッドを上記光磁気ディスクに摺接させた位置との間の中間位置に上記ヘッドアームを保持するヘッド昇降操作機構とを備える。
【００１７】
【作用】
本発明は、ホルダ部材がディスクドライブ部に対向する上昇位置にある上記ホルダ部材に対し記録ディスクの装脱を行う位置とされるとき、ヘッドアームがホルダ部材より更に上昇した位置に移動されることにより、ホルダ部材に保持される記録ディスクとヘッドとの衝突が防止される。ヘッドアームの先端側に設けたヘッドは、記録時にのみ記録ディスクに摺接し、再生モードが選択されたときには記録ディスクから離間する。
【００１８】
ヘッドアームは、記録モード時において、付勢手段の付勢力を受けて位置決め部に当接されることにより、ヘッドの位置を正確に位置決め支持する。
【００１９】
本発明は、記録ディスクのディスクドライブ部への着脱を行うために記録ディスクを保持するホルダ部材を移動操作しているときには、ヘッドアームを付勢手段の付勢力に抗して回動させた位置に保持し、記録ディスクよりヘッドを離間させ、記録ディスクをディスクドライブ部に装着させた後において記録モードが選択されるときには、ヘッドアームに対する保持を解除するので、記録モードにおいてのみヘッドを記録ディスクに摺接させる。
【００２０】
【実施例】
以下、本発明の具体的な実施例を図面を参照しながら説明する。
【００２１】
この例は、本発明を、カートリッジに収納された光磁気ディスクを記録媒体として用いて情報信号の記録及び再生を行うディスク記録再生装置に適用したものである。
【００２２】
〔１〕〔ディスク記録再生装置の概要〕
本発明が適用されるディスク記録再生装置は、図１に示すように、筐体１内にいわゆるフローティング状態で配置されたシャーシ１２を備えている。筐体１は、合成樹脂や金属等により前面側が開放された筺体状に形成された本体と、この本体の開放された前面側を閉塞する前面パネル２とを有している。前面パネル２には、カートリッジ挿脱口３が形成されている。このカートリッジ挿脱口３は、蓋体４により、内面側から閉塞されている。カートリッジ挿脱口３は、筐体１の水平方向を長尺とした開口として形成されている。また、前面パネル２には、電源ボタン７、イジェクトボタン５、記録ボタン１０、再生ボタン８、停止ボタン９、音量調節摘み１１及び表示窓６等が配設されている。これら各ボタン、５，７，８，９，１０、音量調節摘み１１及び表示窓部６は、筐体１に収納されこのディスク記録再生装置を構成する図示しない電子回路部に接続されている。
【００２３】
このディスク記録再生装置は、電源ボタン７により主電源が投入され、カートリッジ挿脱口３を介してディスクカートリッジが挿入されてシャーシ１２上にローディングされ、記録ボタン１０の操作により記録モードが選択されることにより情報信号の記録が行われ、さらに、再生ボタン８の操作により再生モードが選択されることにより情報信号の再生が行われる。表示窓部６には、文字、数字及び記号等を表示するための光電管や液晶表示デバイス（ＬＣＤ）等が設けられ、記録継続時間、プログラム番号やプログラム名等が表示される。なお、表示窓部６は、カートリッジ挿脱口３の下方側に位置して設けられている。
【００２４】
なお、このディスク記録再生装置は、筐体１内の発熱源となる電源回路や出力回路等がシャーシ１２の後方側に配設されている。そして、筐体１は、発熱源の配設位置に対応する後方側部分に、図示しない放熱用の多数のスリットが形成されている。このディスク記録再生装置は、発熱源からの熱がシャーシ１２上のディスクカートリッジや後述する光学ピックアップ装置等に伝わることをシャーシ１２によって遮断している。
【００２５】
〔２〕〔ディスクカートリッジ〕
本発明が適用されるディスク記録再生装置に用いられるディスクカートリッジは、図３２及び図３３に示すように、記録ディスクである情報信号の再記録を可能とする光磁気ディスク２０３をカートリッジ２０２に回転可能に収納している。光磁気ディスク２０３は、ディスク基板上に磁性材料が被着形成され、レーザ光の照射とともに外部磁界が印加されることにより情報信号の書込みが行われる。また、光磁気ディスク２０３に記録された情報信号は、光磁気ディスク２０３から反射される戻りのレーザ光を光検出器により検出することによって読出される。この光磁気ディスク２０３の中心部には、チャッキング孔２０５が開設されている。このチャッキング孔２０５は、チャッキングプレート２０６により閉塞されている。
【００２６】
カートリッジ２０２は、光磁気ディスク２０３の厚み及び径に対応した大きさの矩形状に形成されている。このカートリッジ２０２は、上下各主面部の相対向する位置に開口部２０７，２０８が設けられている。これら開口部２０７，２０８は、光磁気ディスク２０３の主面部の内外周に亘る一部を外方側に臨ませている。また、カートリッジ２０２の下面側の中央部には、チャッキング孔２０５を外方側に臨ませるためのチャッキング用開口部２１６が設けられている。各開口部２０７，２０８は、カートリッジ２０２に移動可能に取り付けシャッタ部材２１０により開閉される。このシャッタ部材２１０は、薄い板状部材をコ字状に折り曲げて形成され、相対向する一対の平板状部分によって各開口部２０７，２０８を閉塞するように形成されている。このシャッタ部材２１０は、中央部分をカートリッジ２０２の一側面側に、図３２中矢印Ｔ方向に移動可能に支持されている。このカートリッジ２０２の一側面には、シャッタ部材２１０を支持するための溝部２０９が設けられている。シャッタ部材２１０は、中央部分に突設された突片２１２を溝部２０９に係合させてカートリッジ２０２に支持されている。また、シャッタ部材２１０の中央部分であって、カートリッジ２０２の一側面に対向する部分には係合孔２１１が形成されている。
【００２７】
また、カートリッジ２０２のシャッタ部材２１０が支持される一側面に対向する他側面に、誤挿入防止用溝２２０が設けられている。誤挿入防止用溝２２０は、カートリッジ２０２の前面側を開放し、カートリッジ２０２の他側面の中途部まで形成されている。
【００２８】
また、本発明が適用されるディスク記録再生装置に用いられるディスクカートリッジとして、図３４及び図３５に示すように、再生専用型の光ディスク２２３をカートリッジ２２２に回転可能に収納したものを用いることもできる。このディスクカートリッジ２２１に収納される光ディスク２２３は、ディスク基板上にアルミニウム等からなる反射層が被着形成されている。この光ディスク２２３のディスク基板には、射出成形等の手段により、情報信号に応じた微細な凹凸であるピットパターンが形成されている。光ディスク２２３に記録された情報信号は、光ディスク２２３から反射される戻りのレーザ光を光検出器によって検出することによって読出されて再生が行われる。この光ディスク２２３の中心部には、チャッキング孔２０５が開設されている。このチャッキング孔２０５は、チャッキングプレート２０６により閉塞されている。
【００２９】
このディスクカートリッジ２２１のカートリッジ２２２は、光ディスク２２３の厚み及び径に対応した大きさの矩形状に形成されている。このカートリッジ２２２は、下面側の主面部にのみ開口部２０８が設けられている。この開口部２０８は、光ディスク２２３の信号読出し面となる下面側の主面部の内外周に亘る一部を外方側に臨ませている。また、カートリッジ２２２の下面側の中央部には、チャッキング孔２０５を外方側に臨ませるためのチャッキング用開口部２１６が設けられている。開口部２０８は、カートリッジ２２２に移動可能に取り付けられたシャッタ部材２３０により開閉される。このシャッタ部材２３０は、薄い板状部材をＬ字状に折り曲げて形成され、平板状部分によって開口部２０８を閉塞するように形成されている。シャッタ部材２３０は、基端部をカートリッジ２２２の一側面に移動可能に支持されている。このカートリッジ２２２の一側面には、シャッタ部材２３０を支持するための溝部２０９が設けられている。シャッタ部材２３０は、基端部に突設された突片２１２を溝部２０９に係合させてカートリッジ２２２に支持されている。また、シャッタ部材２３０の基端部のカートリッジ２２２の一側面に対向する部分には、係合孔２１１が形成されている。
【００３０】
このカートリッジ２２２にも、前記ディスクカートリッジ２０１と同様に、シャッタ部材２３０が支持される一側面に対向する他側面には、誤挿入防止用溝２２０が設けられている。誤挿入防止用溝２２０は、カートリッジ２２２の前面側を開放し、カートリッジ２２２の他側面の中途部まで形成されている。
【００３１】
そして、各ディスクカートリッジ２０１，２２１のカートリッジ２０２，２２２には、下面側の主面部に、一対の位置決め孔２１３，２１４及び一対の係合凹部２１８，２１９が形成されている。一対の位置決め孔２１３，２１４は、ディスクカートリッジ２０１，２２１のディスク記録再生装置への挿入方向の前後に位置して形成されている。また、一対の係合凹部２１８，２１９は、ディスクカートリッジ２０１，２２１のディスク記録再生装置への挿入端側となる前面側の両側に形成されている。
【００３２】
また、各カートリッジ２０２，２２２は、ディスク記録再生装置への挿入方向に亘る長さよりも、誤挿入防止用溝２２０の底部より溝部２０９の底部に至る長さが短く形成されている。
【００３３】
〔３〕〔シャーシの支持機構〕
このディスク記録再生装置に設けられるシャーシ１２は、金属板により形成され、図１に示すように、水平板部１０７と、この水平板部１０７の両側縁にこの水平板部１０７に垂直となされて取り付けられた第１の側板１３及び第２の側板部１４とを有している。第１の側板１３には、図６に示すように、前後一対の支持突片１７，１８が外方側に向けて突設されている。また、第２の側板１４には、前後一対の支持突片１５，１６が外方側に向けて突設されている。これら支持突片１５，１６及び１７，１８には、それぞれ、ダンパ嵌合孔２０が開設されている。これらダンパ嵌合孔２０には、図３１に示すように、それぞれダンパ１９が嵌合されている。これら４本のダンパ１９は、シャーシ１２を筐体１内に固定して配設されるベース２６に対し浮上させて支持するためのものである。
【００３４】
ダンパ１９は、ベース２６に基端側を螺合して支持される支軸２１と、この支軸２１に嵌装されるゴム筒２３と、このゴム筒２３に巻装されるコイルバネ２４とを有している。また、支軸２１とゴム筒２３との間には、合成樹脂等の低摩擦材料よりなるリング部材２２が配設されている。各支持突片１５，１６及び１７，１８は、ダンパ嵌合孔２０にゴム筒２３の先端側部分を嵌合させている。このダンパ嵌合孔２０の内周面は、ゴム筒２３の先端側部分に形成された係合溝部２５に係合ゴム筒２３に支持されている。
【００３５】
このように各ダンパ１９に支持されたシャーシ１２は、コイルバネ２４及びゴム筒２３により、図３１中矢印Ｓ方向のベース２６に平行な水平方向への移動が規制されるとともに、図３１中矢印Ｒ方向のベース２６に垂直な方向への移動が可能となされ、外部からの振動や衝撃が伝達されないように支持されている。
【００３６】
〔４〕〔カートリッジローディング機構（１）〕
シャーシ１２上には、ディスクカートリッジのローディング操作を行うカートリッジローディング機構が構成されている。このカートリッジローディング機構は、図１及び図２に示すように、第１及び第２の側板１３，１４の相対向する面に平板部１０７の上方側に位置して第１及び第２の側板１３，１４に対して移動可能に支持された、左右一対の第１及び第２のカム板２７，２８を有している。第１のカム板２７は、図７に示すように、第１の側板１３に形成された第１及び第２の支持スリット８２，８４に前後一対の支持ピン７７，７８を挿通させて第１の側板１３に支持されている。第１の支持スリット８２は、第１の側板１３の前端側より中途部分に亘って前後方向に直線状に形成されている。第２の支持スリット８４は、第１の側板１３の中途部分より後端側に亘って前後方向に直線状に形成され、後端部近傍が下方側、すなわち、平板部１０７側に直角に折り曲げられている。また、第２のカム板２８は、図８に示すように、第２の側板１４に形成された第１及び第２の支持スリット７９，８１に対し、前後一対の支持ピン７７，７８を挿通させて第２の側板１４に支持されている。第１の支持スリット７９は、第２の側板１４の前端側より中途部分に亘って前後方向に直線状に形成されている。第２の支持スリット８１は、第２の側板１４の中途部分より後端側に亘って前後方向に直線状に形成され、後端部近傍が下方側、すなわち、平板部１０７側に直角に折り曲げられている。
【００３７】
第１及び第２のカム板２７，２８には、それぞれ前後一対のカム溝７３，７４及びラックギヤ７６が形成されている。前側カム溝７３は、前方側の水平部分と、この前方側の水平部分よりも高い位置、すなわち、平板部１０７より離間した位置に形成された後方側の水平部分と、前方側の水平部分の後端部より後方側の水平部分の前端部に至る傾斜部分とを有し、第１及び第２のカム板２７，２８の前方側部分に形成されている。後側カム溝７４は、前側カム溝７３と同一の形状を有し、第１及び第２のカム板２７，２８の後方側部分に形成されている。ラックギヤ７６は、第１及び第２のカム板２７，２８の下縁部に前端部より後端部に亘って形成されている。
【００３８】
第１のカム板２７には、各カム溝７３，７４の間に位置して係合孔７５が形成されている。この係合孔７５は、長手方向を前後方向とした長孔として形成され、後縁部が各カム溝７３，７４の傾斜部分に略々対応した傾斜部となされている。
【００３９】
第２のカム板２８には、中途部分より後端側部分に亘ってヘッド操作カム溝１０９が形成されている。ヘッド操作カム溝１０９は、前後方向に直線状に形成され、前端部近傍が上方側、すなわち、平板部１０７より離間する方向に直角に折り曲げられたヘッド操作部１１０となされている。
【００４０】
そして、第１及び第２のカム板２７，２８間には、ディスクローディング機構を構成するローディング板２９とカートリッジホルダ３０とスライダ板３１とが配設されている。ここで、カセットホルダ３０は、ホルダ部材を構成するものである。
【００４１】
ローディング板２９は、平板部１０７と略々同一の大きさを有する平板状に形成され、両側が下方側に折り曲げられている。このローディング板２９の側面部、すなわち、下方側に折り曲げられた両側の外方側の面には、左右各一対の支持ピン３２，３３及び３４，３５が突設されている。一方の側の前方側の支持ピン３２は、図７に示すように、第１のカム板２７の前側カム溝７３に挿通され、さらに、第１の側板１３の第３の支持スリット８３に挿通されている。この第３の支持スリット８３は、第１の側板１３の前方側より中途部分に亘って前後方向に直線状に形成され、後端部近傍が下方側に直角に折り曲げて形成されている。一方の側の後方側の支持ピン３３は、第１のカム板２７の後側カム溝７４に挿通され、さらに、第１の側板１３の第２の支持スリット８４に挿通されている。そして、他方の側の前方側の支持ピン３４は、図８に示すように、第２のカム板２８の前側カム溝７３に挿通され、さらに、第２の側板１４の第３の支持スリット８０に挿通されている。この第３の支持スリット８０は、第２の側板１４の前方側より中途部分に亘って前後方向に直線状に形成され、後端部近傍が下方側に直角に折り曲げて形成されている。他方の側の後方側の支持ピン３５は、第２のカム板２８の後側カム溝７４に挿通され、さらに、第２の側板１４の第２の支持スリット８１に挿通されている。
【００４２】
ローディング板２９は、各支持ピン３２乃至３５を介して、第１及び第２の側板１３，１４に前後方向に移動可能に支持され、第１及び第２のカム板２７，２８が前後方向に移動操作されると、各第３及び第２の支持スリット８０，８１及び８３，８４に沿って前後方向に移動される。このローディング板２９は、各支持ピン３２乃至３５を第３及び第２の支持スリット８０，８１及び８３，８４の後端部に位置させた状態においては、下方側、すなわち、平板部１０７に近接する方向に降下される。
【００４３】
ローディング板２９は、他方の側に、このローディング板２９の略々半分の面積を占める第１の開口部３６が設けられ、一方の側に第２の開口部４３が設けられている。
【００４４】
カートリッジホルダ３０は、ローディング板２９の略々全幅に相当する幅を有する平板状に形成され、両側部分が下方側に鉤状に折り曲げられたカートリッジ保持部５３，５４により挿入されるディスクカートリッジ２０１，２２１を保持する。カートリッジホルダ３０は、ローディング板２９の下方側に配設されている。このカートリッジホルダ３０は、前方側よりディスクカートリッジ２０１，２２１が挿入されると、主面部と各カートリッジ保持部５３，５４との間にディスクカートリッジ２０１，２２１を位置させて保持する。このカートリッジホルダ３０は、ローディング板２９の前方部分の左右及び中央部分に形成された支持孔４０，４１，４２に対応して挿通された支持軸３７，３８，３９を介してローディング板２９に対し吊り下げられて支持されている。これら支持軸３７，３８，３９の下端側部分は、カートリッジホルダ３０の前方部分の左右及び中央部分に形成された嵌合孔５８，５９，６０にそれぞれ嵌合されている。カートリッジホルダ３０は、ローディング板２９に対し、上下方向には各支持軸３７，３８，３９の長さ範囲で移動可能となされている。
【００４５】
カートリッジホルダ３０は、ローディング板２９の第１の開口部３６に対応する開口部５１を有している。このカートリッジホルダ３０は、後縁部に下方側に折り曲げられたカートリッジ位置決め片６１が設けられている。
【００４６】
また、カートリッジホルダ３０の他方の側の保持部５４には、カートリッジホルダ３０の内方側に向けてシャッタ開放片１７３及びシャッタ閉蓋片５６が配設されている。シャッタ開放片１７３は、保持部５４を構成する側壁より一体的に突設され、カートリッジ２０２，２２２の溝部２０９に進入するように形成されている。シャッタ閉蓋片５６は、保持部５４の側壁に回動可能に支持されたレバー部材の先端部に鉤状に折り曲げて形成され、側壁に形成されたスリット部５５を介してカートリッジホルダ３０内に突出している。このシャッタ閉蓋片５６は、カートリッジホルダ３０との間に配設された捩じりコイルバネ５７により、カートリッジホルダ３０内に突出する方向に付勢されている。シャッタ閉蓋片５６は、ディスクカートリッジ２０１，２２１のシャッタ部材２１０，２３０の係合孔２１１に係合する。
【００４７】
そして、カートリッジホルダ３０の一方の側の保持部５３には、カートリッジホルダ３０の内方側に向けて、すなわち、シャッタ開放片１７３に対向するようにして誤挿入防止突片１８０が突設されている。誤挿入防止突片１８０は、保持部５３を構成する側壁から一体的に突設され、カートリッジホルダ３０にディスクカートリッジ２０１，２２１が前方側より挿入されたときに、カートリッジ２０２，２２２の誤挿入防止用溝２２０に進入するように設けられている。
【００４８】
スライダ板３１は、カートリッジホルダ３０の一方の側の半分の部分に略々相当する大きさの平板状に形成され、カートリッジホルダ３０の上面部により、所定範囲内の前後方向にスライド可能に支持されている。すなわち、スライダ板３１は、ローディング板２９の一方の側部分とカートリッジホルダ３０の一方の側部分との間に挟まれて配設されている。このスライダ板３１は、後方側部分に突設されたバネ係止片とカートリッジホルダ３０の後縁部に突設されたバネ係止片５０との間に張架された引っ張りコイルバネ４９によりカートリッジホルダ３０に対して後方に移動する方向の図２中矢印Ｄ方向に付勢されている。この引っ張りコイルバネ４９は、カートリッジホルダ３０の一方の側部分に開設された開口部５２内に位置して配設されている。
【００４９】
スライダ板３１の他側縁部には、被押圧片４７が、このスライダ板３１の一部が下方側に折り曲げて形成されている。この被押圧片４７は、カートリッジホルダ３０の開口部５１を介してカートリッジホルダ３０内に突出している。この被押圧片４７は、スライダ板３１が引っ張りコイルバネ４９の付勢力に抗してカートリッジホルダ３０の前方側に位置する初期状態においては、カートリッジ位置決め片６１よりも前方側に位置し、スライダ板３１がカートリッジホルダ３０の後方側に移動されると、カートリッジ位置決め片６１に対し面一となる位置まで移動される。
【００５０】
また、スライダ板３１の一側縁部には、操作ピン取付片４４がスライダ板３１の一部を上方側に折り曲げることにより形成されている。この操作ピン取付片４４には、操作ピン４５が外方側に向けて突設されている。操作ピン４５は、ローディング板２９の第２の開口部４３を介して第１のカム板２７の側に各支持ピン３２，２２に平行に突出され、第１のカム板２７の係合孔７５内に進入されている。
【００５１】
そして、スライダ板３１には、カートリッジ挿入検出部材となるカートリッジ挿入検出アーム６２とストッパ部材となるストッパアーム６８とが回動可能に取り付けられている。カートリッジ挿入検出アーム６２は、基端側に取付孔６３を有し、この取付孔６３に挿通された取付ピン６６がスライダ板３１の取付孔１７４に挿通されてスライダ板３１に取り付けられている。カートリッジ挿入検出アーム６２は、先端側に当接部６５を有し、図６に示すように、当接部６５をカートリッジホルダ３０と第１のカム板２７との間となる位置に突出させている。また、カートリッジ挿入検出アーム６２は、中途部にカートリッジ当接ピン１７０を有し、このカートリッジ当接ピン１７０を下方側に向けて突設してカートリッジホルダ３０内に突出させている。
【００５２】
カートリッジ検出アーム６２は、捩じりコイルバネ６７により、当接部６５を前方側に移動させる図２中矢印Ｃ方向に回動付勢されている。捩じりコイルバネ６７は、コイル部を取付けピン６６に巻回させ、一方のアーム部をスライダ板３０上に突設されたバネ係止片４６に係止させ、他方のアーム部をカートリッジ検出アーム６２上に突設されたバネ係止片６４に係止されている。そして、カートリッジ挿入検出アーム６２は、スライダ板３１上にカートリッジ挿入検出アーム６２の前方側に位置して突設された係止片４８に当接した初期位置に位置決めされている。
【００５３】
ストッパアーム６８は、基端側に取付孔７１を有し、この取付孔７１に挿通された取付ピンがスライダ板３１に設けられた取付孔に挿通係合されてスライダ板３１に取り付けられている。このストッパアーム６８は、先端側部分に、当接突起６９、係合突起となるカートリッジ係合突起７０及び係止部となるストッパ段部１６９を有し、図６に示すように、先端側部分をカートリッジホルダ３０と第１のカム板２７との間に位置させるとともに前方側に向けて配設されている。当接突起６９は、ストッパアーム６８の上面側に上方側に向けて突出された突起である。カートリッジ係合突起７０は、ストッパアーム６８のカートリッジホルダ３０側の側縁より、カートリッジホルダ３０側に向けて突出された突起である。このカートリッジ係合突起７０は、カートリッジホルダ３０の一方の側の側壁に形成された切り欠き部を介してカートリッジホルダ３０内に突出している。ストッパ段部１６９は、ストッパアーム６８の第１のカム板２７の側の側縁に形成された段部であって、ストッパアーム６８の先端部近傍が側方側に突出することにより形成されている。このストッパアーム６８は、捩じりコイルバネ７２により、先端側を第１のカム板２７側に移動させる図２中矢印Ｂ方向に回動付勢されている。
【００５４】
ストッパアーム６８は、ローディング板２９がシャーシ１２の前方側に位置し、さらに、スライダ板３１がカートリッジホルダ３０の前方側に位置しているときに、図６に示すように、ストッパ段部１６９を平板部１０７上にシャーシ１２の一部として突設されたストッパ壁部８５の前端部に係止されて、スライダ板３１及びローディング板２９の後方側への移動を阻止している。ストッパ壁部８５は、平板部１０７の一方の側部分に前後方向に亘って上方側に向けて突設された突条として形成されている。
【００５５】
〔５〕〔ディスクドライブブロックの構成〕
シャーシ１２の平板部１０７上には、図２２乃至図２７に示すように、ディスクドライブ部であるディスクドライブブロック１４７が配設されている。ディスクドライブブロック１４７は、基台１３０と、この基台１３０上に配設されたディスクテーブル１４９、光学ピックアップ装置１４８及び磁気ヘッド１４３等とを備えている。
【００５６】
ディスクテーブル１４９は、基台１３０上に配設されたスピンドルモータの駆動軸１５５に取り付けられている。このディスクテーブル１４９は、略々円盤状に形成され、平板状のディスク載置部１５０と、このディスク載置部１５０の中心部に上方側に突出したセンタリング部１５１が設けられている。センタリング部１５１内には、マグネットが設けられている。このディスクテーブル１４９は、基台１３０上にディスクカートリッジ２０１，２２１が装着されると、チャッキング用開口部２１６を介してカートリッジ２０２，２２２内に進入し、光磁気ディスク２０３又は光ディスク２２３の中心部が載置される。ディスクテーブル１４９上に光磁気ディスク２０３又は光ディスク２２３が載置されると、センタリング部１５１に設けたマグネットがチャッキングプレート２０６を磁気吸引し、センタリング部１５１がチャッキング孔２０５内に進入し、このチャッキング孔２０５の周縁の載置面部２１５がディスク載置部１５０に支持される。
【００５７】
光学ピックアップ装置１４８は、半導体レーザ等の光源、ビームスプリッタプリズムやコリメータレンズ等の光学デバイス、光検出器等を内蔵した光学ブロックを有している。この光学ピックアップ装置１４８は、さらに対物レンズ１５８を有し、この対物レンズ１５８を介して光源より出射される光ビームを集束して光磁気ディスク２０３又は光ディスク２２３に照射する。また、光学ピックアップ装置１４８は、対物レンズ１５８より出射され光磁気ディスク２０３又は光ディスク２２３から反射された戻りの光ビームを検出する光検出器を備えている。この光学ピックアップ装置１４８は、基台１３０上に配設された一対の互いに平行なガイド軸１５２，１５３に支持され、ディスクテーブル１４９の他方の側に位置して配設されている。光学ピックアップ装置１４８は、各ガイド軸１５２，１５３に沿って基台１３０上ディスクテーブル１４９に対して接離する図２６中矢印Ｌ方向の左右方向に移動操作可能となされている。
【００５８】
また、基台１３０上には、一対の位置決めピン１５６，１５７が植立されている。これら位置決めピン１５６，１５７は、先端側が縮径された略々円錐状のピンであって、基台１３０上にディスクカートリッジ２０１，２２１が装着されたとき、一対の位置決め孔２１３，２１４に係合してディスクカートリッジ２０１，２２１の基台１３０に対する位置決めを行う。ディスクカートリッジ２０１，２２１が各位置決めピン１５６，１５７により位置決めされたとき、光磁気ディスク２０３又は光ディスク２２３はディスクテーブル１４９上に載置される。
【００５９】
磁気ヘッド１４３は、図３乃至図５及び図２２乃至図２５に示すように、ヘッドアーム１２８及びジンバルバネ１４２等を介して光学ピックアップ装置１４８に連結された連結アーム１２１に支持されている。連結アーム１２１は、基端側を光学ピックアップ装置１４８の下面部に取り付けられ、先端側を基台１３０の後縁部よりも後方側に突出させている。この連結アーム１２１の先端側には、両側が上方に折り曲げられた一対の支持片１２２，１３１が配設されている。これら支持片１２２，１３１には、これら支持片１２２，１３１間に亘って支軸１２３が取り付けられている。各支持片１２２，１３１間には、支軸１２３が挿通されることによりこの支軸１２３の回りに回動可能に支持されたヘッド支持基台１３５が配設されている。ヘッド支持基台１３５は、平板上部材の両側が下方側に折り曲げられて形成されている。このヘッド支持基台１３５の下方側に折り曲げられた両側部分には、一対の挿通孔１７６が形成され支軸１２３が挿通されている。
【００６０】
ヘッド支持基台１３５上には、ヘッドアーム１２８の基端部が固定ネジ１３４により取り付けられている。ヘッドアーム１２８の先端側には、固定ネジ１４１により支持アーム１４０の基端側が取り付けられている。この支持アーム１４０は、金属材料等により先端側が細い棒状に形成されている。また、ヘッドアーム１２８の先端側には、ヘッドアーム１２８と支持アーム１４０の基端側部分とに挟持されるようにしてジンバルバネ１４２の基端側が取り付けられている。ジンバルバネ１４２は、薄い板バネ状に形成され、先端側を支持アーム１４０の先端側部分の下方に位置させている。このジンバルバネ１４２の先端部には、吊り下げ環１４６が形成されている。この吊り下げ環１４６は、支持アーム１４０の先端側に突出形成された吊り下げ突起１４５に引っ掛けられている。そして、ジンバルバネ１４２の先端側には、摺動部材１４４を介して磁気ヘッド１４３が取り付けられている。摺動部材１４４は、合成樹脂等の低摩擦材料により形成され、ジンバルバネ１４２に係合するとともに磁気ヘッド１４３の下面部を覆っている。この磁気ヘッド１４３は、対物レンズ１５８の光軸上に位置して支持されている。磁気ヘッド１４３は、基端側部分を支持アーム１４０に取り付けられたフレキシブル基板１３９を介して電流が供給されて磁界を発生する。フレキシブル基板には、電流供給のためのコード１３８が接続されている。
【００６１】
磁気ヘッド１４３は、ヘッド支持基台１３５が支軸１２３回りに回動されることにより、上下方向、すなわち、ディスクテーブル１４９上に装着された光磁気ディスク２０３又は光ディスク２２３に対し接離方向に移動可能となされている。このヘッド支持基台１３５は、支持片１３１との間に配設された捩じりコイルバネ１３２により、磁気ヘッド１４３を下方のディスクテーブル１４９上の光磁気ディスク２０３又は光ディスク２２３に当接させる図５中矢印Ｈ方向に回動付勢されている。
【００６２】
そして、ヘッド支持基台１３５には、支軸１２３の前方側に位置して回動操作軸１２４が取り付けられている。この回動操作軸１２４は、支軸１２３に平行となされ、ヘッド支持基台１３５の下方側に屈曲された両側部分に形成された一対の挿通孔１７５間に亘って挿通されてヘッド支持基台１３５に取り付けられている。支軸１２３及び回動操作軸１２４には、これら支軸１２３及び回動操作軸１２４が挿通された状態で回動操作アーム１２５が取り付けられている。すなわち、回動操作アーム１２５は、前後方向に延在された軸状に形成され、中途部分に回動操作軸１２４が挿通される挿通孔と支軸１２３が挿通される挿通孔とが設けられている。この回動操作アーム１２５は、支軸１２３及び回動操作軸１２４に沿ってヘッド支持基台１３５に対して左右方向に移動可能となされている。そして、回動操作アーム１２５は、前端側の当接部１２７を基台１３０の後縁側部分の上方側に位置させ、後端側の被操作部１２６を後方側に突出させている。この回動操作アーム１２５は、当接部１２７を基台１３０の後縁部近傍上に配設された一対の壁部１７７，１７８間に位置させ、基台１３０に対する左右方向の移動が阻止されている。すなわち、回動操作アーム１２５は、連結アーム１２１が光学ピックアップ装置１４８とともにディスクテーブル１４９に対し接離方向である左右方向に移動されると、連結アーム１２１に対して支軸１２３及び回動操作軸１２４に沿って相対的に移動され、基台１３０に対しては一定の位置に留まる。
【００６３】
そして、回動操作アーム１２５は、当接部１２７を基台１３０上の後縁部近傍に設けられた高さ基準部１２９に当接させることにより、ヘッド支持基台１３５をして磁気ヘッド１４３を光磁気ディスク２０３又は光ディスク２２３に摺接又は近接する所定の回動位置に位置決めする。また、回動操作アーム１２５は、被操作部１２６が下方側に向けて押圧されると、ヘッド支持基台１３５を捩じりコイルバネ１３２の付勢力に抗して回動させた回動位置に保持させ、磁気ヘッド１４３をディスクテーブル１４９上の光磁気ディスク２０３又は光ディスク２２３より離間した位置に保持する。
【００６４】
平板部１０７上には、図８、図１２、図１５、図１８、及び図２１乃至図２５に示すように、ヘッド昇降操作機構を構成するヘッド昇降操作アーム１１９が配設されている。ヘッド昇降操作アーム１１９は、中途部を平板部１０７上に支持された支軸１１８に回動可能に支持され、一端側にヘッド操作カム溝１０９に係合した倣い突起１２０を有し、他端側に被操作部１２６の上方側に位置する操作ピン１５４を有している。このヘッド昇降操作アーム１１９は、記録モード以外の操作モードが選択されたときには、図８、図１２、図１５、図１８、及び、図２２乃至図２４に示すように、倣いピン１２０がヘッド操作カム溝１０９に支持されることにより操作ピン１５４により被操作部１２６を押圧し、磁気ヘッド１４３を上方側位置に保持し、記録モードが選択されて第１及び第２のカム板２７，２８が後方側に移動操作されたときには、図２１及び図２５に示すように、倣いピン１２０がヘッド操作部１１０内に進入することにより回動されて、操作ピン１５４による被操作部１２６の押圧を解除して磁気ヘッド１４３の下方側への移動を可能となす。
【００６５】
なお、ヘッドアーム１２８は、ヘッド支持基台１３５に対し図４中矢印Ｇ方向の延在方向の位置調整が可能となされている。すなわち、ヘッドアーム１２８の基端側部分は、長手方向を前後方向とした調整用長孔１３６が設けられている。この調整用長孔１３６には、ヘッド基台１３０上に植立された調整用ピン１３７が挿通されている。ヘッドアーム１２８の前後方向の位置を調整するには、固定ネジ１３４をやや緩めておき、調整用長孔１３６の周囲を囲んで突設された周壁１７９内に調整治具１６５を挿入する。この調整治具１６５は、先端側部分が円筒状となされており、先端面には円筒の中心軸より偏心した位置に調整ピン嵌合孔１６６を有している。この調整ピン嵌合孔１６６に調整用ピン１３７を嵌合させ、この調整治具１６５を軸回りに回動させると、この調整治具１６５は調整用ピン１３７を中心として回動される。すると、調整治具１６５の外周面が周壁１７９の内周面を押圧してヘッドアーム１２８を調整用長孔１３６の長手方向に沿って前後方向に移動させる。ヘッドアーム１２８の前後方向の位置が適正となったときに、固定ネジ１３４を締め付けることによりヘッドアーム１２８の前後方向の位置調整が完了する。
【００６６】
また、ヘッド支持基台１３５は、連結アーム１２１に対し図４中矢印Ｆ方向の左右方向の位置調整が可能となされている。すなわち、ヘッド支持基台１３５は、捩じりコイルバネ１３２により、支軸１２３の軸方向に沿って他方の側に押圧されている。このヘッド支持基台１３５の他方の側には、支軸１２３に嵌装された調整ネジ環１３３が配設されヘッド支持基台１３５に当接している。調整ネジ環１３３は、円筒状に形成され支軸１２３に嵌装されるとともに、外周面にネジが形成され支持片１２２に螺合されている。この調整ネジ環１３３を回動させて支持片１２２に対する螺入量を変えると、ヘッド支持基台１３５は捩じりコイルバネ１３３によって調整ネジ環１３３に押圧されるので、調整ネジ環１３３に応じて支軸１２３の軸方向、すなわち、図４中矢印Ｆ方向の左右方向に移動される。ヘッド支持基台１３５の左右方向の位置が適正となったときに、調整ネジ環１３３を停止することによりヘッド支持基台１３５の左右方向の調整が完了する。
【００６７】
〔６〕〔ディスクカートリッジローディング機構の構成（２）〕
第１の側板１３には、図７に示すように、第１及び第２のカム板２７，２８を前後方向に移動操作するための移動操作手段となるローディングモータ１８５及び複数の伝達ギヤが配設されている。ローディングモータ１８５の駆動軸には、駆動プーリ８６が取り付けられている。駆動プーリ８６には、第１の側板１３に支軸９４を介して回転可能に配設された従動プーリ８８との間に、無端駆動ベルト８７が掛け回されている。従動プーリ８８には、第１の伝達ギヤ８９が一体的に同軸に形成されている。この第１の伝達ギヤ８９は、第１の側板１３に支軸９５を介して回転可能に配設され第１の伝達ギヤ８９よりも歯数の多い第２の駆動ギヤ９０に噛合している。第２の伝達ギヤ９０には、この第２の伝達ギヤ９０よりも歯数の少ない第３の伝達ギヤ９１が一体的に同軸に形成されている。この第３の伝達ギヤ９１は、第１の側板１３に支軸９６を介して回転可能に配設され第３の伝達ギヤ９１よりも歯数の多い第４の駆動ギヤ９２に噛合している。第４の伝達ギヤ９２には、この第４の伝達ギヤ９２よりも歯数の少ない第５の伝達ギヤ９３が一体的に同軸に形成されている。
【００６８】
第５の伝達ギヤ９３は、第１の側板１３に支軸１６７を介して回転可能に配設されたカムギヤ９７の外周部に形成された歯部に噛合している。このカムギヤ９７の歯部は、第１のカム板２７のラックギヤ７６に噛合している。すなわち、ローディングモータ１８５の駆動力により、第１のカム板２７は、図７中矢印Ｚ方向及び矢印Ｙ方向の前後方向に移動操作される。
【００６９】
そして、第１のカム板２７のラックギヤ７６には、支軸１１２を介して第１の側板１３に回転可能に支持された第１の連結ギヤ１１１が噛合している。第１の連結ギヤ１１１には、連結軸１１４を介して第１の側板１３に回転可能に支持された第２の連結ギヤ１１３に噛合している。連結軸１１４は、図７及び図８に示すように、第１の側板１３より第２の側板１４に亘って回転可能に配設されている。連結軸１１４の第２の側板１４の近傍には、第３の連結ギヤ１１５が取り付けられている。この第３の連結ギヤ１１５は、支軸１１７を介して第２の側板１４に回転可能に支持された第４の連結ギヤ１１６に噛合している。第４の連結ギヤ１１６は、第２のカム板２８のラックギヤ７６に噛合している。すなわち、第１及び第２のカム板２７，２８は、ローディングモータ１８５によって互いに同一方向に同一速度で同期して移動操作される。
【００７０】
そして、カムギヤ９７は、主面部に支軸１６７を囲むようにしてカム溝９８が形成されている。このカムギヤ９７は、主面部の外周縁近傍に第１及び第２の操作突起９９，１００が形成されている。
【００７１】
カムギヤ９７のカム溝９８は、支軸１６７の近傍を囲み、所定の角度範囲に亘ってのみ支軸１６７よりも離間したカム形状を描いている。このカム溝９８には、蓋体開閉アーム１０４の後端側の倣いピン１０５が係合している。この蓋体開閉アーム１０４は、中途部を支軸１０３を介して第１の側板１３に回動可能に支持されており、先端側をシャーシ１２の前端部よりも前方側に突出させている。この蓋体開閉アーム１０４の先端側部分は、蓋体開閉部１０６となされている。
【００７２】
蓋体開閉アーム１０４は、図２８乃至図３０に示すように、カムギヤ９７が回動することによって、倣いピン１０５がカム溝９８の支軸１６７より離間した部分に係合されているときには、蓋体開閉部１０６を下方側に移動させる図２９中矢印Ｎ方向に回動される。
【００７３】
そして、蓋体４は、前面パネル２に対して、支軸１６０を介して回動可能に支持されている。蓋体４は、支軸１６０がこの蓋体４の上縁部に沿って配設されていることにより、下縁部を筐体１の内方側に移動させる図２９中矢印Ｏ方向に回動可能であり、このように回動されることによってカートリッジ挿脱口３を開放する。なお、蓋体４は、図示しない捩じりコイルバネにより、下縁部を前方に移動させる方向に回動付勢され、初期状態においては、周縁部をカートリッジ挿脱口３の周縁部近傍に当接させて閉蓋状態に維持されている。蓋体４の一方の側部には、操作杆１５９が一体的に取り付けられている。
【００７４】
そして、前面パネル２の内面側には、支軸１６１を介して伝達アーム１６２が回動可能に取り付けられている。伝達アーム１６２は、中途部を支持され、初期状態において前端側に突設された伝達ピン１６４を操作扞１５９の前方側に位置させ、後端側部分１６３を蓋体開閉アーム１０４の蓋体開閉部１０６の下方側に位置させている。蓋体開閉アーム１０４が蓋体開閉部１０６を下方側となす方向に回動すると、該蓋体開閉部１０６は、図２９に示すように、伝達アーム１６２の交換側部分１６３を下方側に押圧してこの伝達アーム１６２を回動させ、伝達ピン１６４により操作扞１５９を前方側より押圧して蓋体４を開蓋させる。
【００７５】
また、蓋体４は、前面パネル２の前方側よりディスクカートリッジ２０１，２２１がカートリッジ挿脱口３に挿入されたときには、図２８に示すように、ディスクカートリッジ２０１，２２１に押圧されて筐体１の内方に回動される。
【００７６】
なお、蓋体４は、図３６中矢印ａ方向及び矢印ｂ方向の前面パネル２の外方側及び内方側に回動可能に支持され、図３７中矢印ｃ方向又は図３８中矢印ｅ方向の内方側又は外方側に搬送されるディスクカートリッジ２０１，２２１によって、図３７中に矢印ｄ方向の内方側に回動されて開蓋され、また、図３８中矢印ｆ方向の外方側に回動されて開蓋されるようにしてもよい。また、蓋体４は、図３９中矢印ｇ方向の前面パネル２の内方側のみ回動可能に支持され、筐体１内に搬送されるディスクカートリッジ２０１，２２１によって開蓋され、図４０に示すようにディスクカートリッジ２０１，２２１の上面部に支持されて開蓋状態に維持されるようにしてもよい。この場合に、カートリッジ挿脱口３は、図４１及び図４２に示すように、前面パネル２の内側に上下方向に移動可能に配設されたスライド蓋１６５によって蓋体４がディスクカートリッジ２０１，２２１により開蓋状態となされている間には閉塞するようにしてもよい。
【００７７】
また、第１の側板１３には、カムギヤ９７の近傍に位置して検出スイッチ１０１が取り付けられている。この検出スイッチ１０１は、基端側を回動可能に支持された検出ピン１０２を有している。検出ピン１０２は、検出スイッチ１０１に内蔵されたバネ部材により、初期状態においては中央位置に位置決めされている。この検出スイッチ１０１は、検出ピン１０２が、一方側に所定角度回動された状態と、他方側に所定角度回動された状態とにおいて、それぞれ方向性が判別可能な検出信号を出力するように構成されている。検出スイッチ１０１は、検出ピン１０２の先端側を、カムギヤ９７の回転による第１及び第２の操作突起９９，１００の移動軌跡上に進入させている。すなわち、検出スイッチ１０１は、カムギヤ９７が、図７中時計方向に回転されて所定回転角度位置となったときに第１の操作突起９９に押圧されて一方向側に回動されるとともに、カムギヤ９７が、図７中反時計方向に回転されて所定回転角度位置となったときに第２の操作突起１００に押圧されて他方向側に回動される。
【００７８】
なお、カートリッジ挿脱口３の下縁には、このカートリッジ挿脱口３の一方の側より他方の側に亘って後方側に向けて突設されたガイド片１７１が前面パネル２に一体的に配設されている。このガイド片１７１の上面には、前後方向に亘って左右一対のガイドリブ１７２が突設されている。このガイド片１７１は、各ガイドリブ１７２を介してカートリッジ挿脱口３を介して筐体１に対して挿脱されるディスクカートリッジ２０１，２２１の底面部を支持する。
【００７９】
〔７〕〔ディスクカートリッジのローディング動作〕
上述のように構成されたディスク記録再生装置において、ディスクカートリッジ２０１，２２１をディスクドライブブロック１４７に装着するには、まず、図６乃至図８に示すように、各カムギヤ２７，２８を最も前方側に位置させた初期状態とする。このとき、各前方側の支持ピン３２，３４は、各前側カム溝７３の後端部に位置するとともに第３の支持スリット８０，８３の前端部に位置している。また、各後方側の支持ピン３３，３５は、各後側カム溝７４の後端部に位置するとともに第２の支持スリット８１，８４の中途部に位置している。また、操作ピン４５は、係合孔７５の後端部に押圧支持されてスライダ板３１をカートリッジホルダ２９の前方側に位置させている。したがって、ストッパアーム６８は、ストッパ段部１６９をストッパ壁部８５の前端部に係止されてスライダ板３１及びローディング板２９の後方側への移動を阻止している。また、ストッパアーム６８は、カートリッジ挿入検出アーム６２の当接部６５に当接突起６９を当接されて内方側への回動が規制されている。また、ヘッド昇降操作アーム１１９は、倣いピン１２０がヘッド操作カム溝１０９に支持され、操作ピン１５４により被操作部１２６を押圧支持して磁気ヘッド１４３を上方側に位置させている。
【００８０】
この初期状態において、検出スイッチ１０１は、図７に示すように、検出ピンを第２の操作突起１００により他方側方向に回動させている。
【００８１】
ここでディスクカートリッジ２０１，２２１をカートリッジ挿脱口３に挿入すると、ディスクカートリッジ２０１，２２１は、図２８に示すように、蓋体４を内方側に押圧して回動させ、図９に示すように、先端側をカートリッジホルダ３０内に進入させる。このとき、ディスクカートリッジ２０１，２２１は、シャッタ部材２１０，２３０が取り付けられた側をカートリッジホルダ３０の他方の側となしている。
【００８２】
ディスクカートリッジ２０１，２２１は、誤挿入防止突起１８０を誤挿入防止用溝２２０内に進入させつつカートリッジホルダ３０内に挿入される。このディスクカートリッジ２０１，２２１は、前端部によりカートリッジ当接ピン１７０を押圧して、図９に示すように、カートリッジ挿入検出アーム６２を捩じりコイルバネ６７の付勢力に抗して後方側に回動させる。このとき、ストッパアーム６８は、当接部６５による当接突起６９に対する当接支持を解除されて内方側に回動可能な状態となっている。また、このとき、カートリッジ２０２，２２２の前端部は、スライダ板３１の被押圧片４７の前縁部に当接する。
【００８３】
さらにディスクカートリッジ２０１，２２１を筐体１の内方に挿入すると、第１及び第２のカム板２８，２８は、スライダ板３１の操作ピン４５により係合孔７５の後端部を押圧されて僅か後方側に移動される。すると、カムギヤ９７が、図７中時計方向に僅かに回動されて、第２の操作突起１００による検出スイッチ１０１の検出ピン１０２の押圧が解除されて検出ピン１０２を中央位置となす。検出スイッチ１０１の検出ピン１０２が中央位置となると、ローディングモータ１８５が図示しない制御回路を介して駆動され、第１及び第２のカム板２７，２８を図７中Ｙ方向に移動させる。
【００８４】
このとき、シャッタ開放片１７３は、カートリッジ２０２，２２２の溝部２０９に前方側より進入して突片２１２の先端部に当接する。また、シャッタ閉蓋片５６は、係合孔２１１に係合する。
【００８５】
ローディングモータ１８５が駆動を開始し、第１及び第２のカム板２７，２８が後方側に移動されると、図１０乃至図１２に示すように、これらカム板２７，２８に追従してスライダ板３１が図１０中矢印Ｕ方向の後方側に移動される。このとき、ローディング板２９は、引っ張りコイルバネ４９によりスライダ板３１に対して前方側に付勢されているため、後方側に移動することがない。すなわち、ローディング板２９がシャーシ１２に対して停止したままの状態で、第１及び第２のカム板２７，２８とスライダ板３１とが後方側に移動する。したがって、各前方側の支持ピン３２，３４が第３の支持スリット８０，８３の前端部に位置したままで、各前側カム溝７３が後方側に移動する。また、各後方側の支持ピン３３，３５が第２の支持スリット８１，８４の中途部に位置したままで、各後側カム溝７４が後方側に移動する。
【００８６】
操作ピン４５は、引っ張りコイルバネ４９により係合孔７５の後端部に押圧付勢されている。ストッパアーム６８は、スライダ板３１の後方側への移動に伴いストッパ段部１６９をストッパ壁部８５の前端部に摺接させつつストッパ壁部８５の内側に回動される。ストッパアーム６８の内側への回動により、ストッパアーム６８は、カートリッジ係合突起７０をカートリッジ２０２，２２２の係合凹部２１８に係合させる。このとき、シャッタ部材２１０，２３０は、突片２１２の先端部をシャッタ開放片１７３に当接させた位置で停止され、カートリッジ２０２，２２２の後方側への移動に伴って開口部２０７を開放する。
【００８７】
なお、ヘッド昇降操作アーム１１９は、依然として倣いピン１２０がヘッド操作カム溝１０９に支持されており、操作ピン１５４により被操作部１２６を押圧支持して磁気ヘッド１４３を上方側に位置させた状態に支持している。
【００８８】
スライダ板３１は、第１及び第２のカム板２７，２８に追従して引っ張りコイルバネ４９の付勢力によりカートリッジ２０２，２２２の前端面がカートリッジ位置決め片６１に当接する位置、すなわち、被押圧片４７をカートリッジ位置決め片６１に対し面一となす位置まで移動する。このとき、各カム溝７３，７４は、図１１に示すように、後方側の水平部と傾斜部との連結点、すなわち、傾斜部の後端部に各支持ピン３２，３３，３４，３５を挿通させている位置となる。この間、ディスクカートリッジ２０１，２２１とスライダ板３１と位置関係は、ストッパアーム６８のカートリッジ係合突起７０がカートリッジ２０２，２２２の係合凹部２１８に係合していることにより維持されている。
【００８９】
さらに、ローディングモータ１８５により第１及び第２のカム板２７，２８が後方側に移動されると、図１３乃至図１５に示すように、ローディング板２９は、スライダ板３１との位置関係を維持したままで後方側に移動される。すなわち、第１及び第２のカム板２７，２８は、各カム溝７３，７４の後方側の水平部と傾斜部との連結点に各支持ピン３２，３３，３４，３５を挿通させたままで後方側に移動する。このとき、ローディング板２９とスライダ板３１との位置関係は、引っ張りコイルバネ４９の付勢力によって維持されている。そして、各支持ピン３２，３３，３４，３５は、ローディング板２９を伴って第２及び第３の支持スリット８０，８１，８３，８４の後端位置まで移動する。このとき、ディスクカートリッジ２０１，２２１は、図２２に示すように、ディスクドライブブロック１４７の上方側前方位置より、図２３に示すように、ディスクドライブブロック１４７の直上の位置まで水平に搬送される。このとき、ディスクカートリッジ２０１，２２１は、光学ピックアップ装置１４８の上方側であって磁気ヘッド１４３の下方側、すなわち、光学ピックアップ装置１４８と磁気ヘッド１４３との間に進入する。
【００９０】
このようなディスクカートリッジ２０１，２２１の水平方向の搬送が行われる間に、蓋体開閉アーム１０４は、図２９に示すように、倣いピン１０５がカム溝９８の支軸１６７より離間した区間を通過することにより、伝達アーム１６２を介して蓋体４を開蓋させる。
【００９１】
そして、ローディングモータ１８５により第１及び第２のカム板２７，２８がさらに後方側に移動されると、図１６乃至図１８に示すように、ローディング板２９はスライダ板３１との位置関係を維持したままで、下方側、すなわち、ディスクドライブブロック１４７に接近する方向に移動される。このときには、ローディング板２９は、各支持ピン３２，３３，３４，３５が第２及び第３の支持スリット８０，８１，８３，８４の後端に位置していることにより、より後方側に移動することができず、第１及び第２のカム板２７，２８が後方側に移動すると、該各支持ピン３２，３３，３４，３５が各カム溝７３，７４の傾斜部と第２及び第３の支持スリット８０，８１，８３，８４の後端の下方への折り曲げ部との交点に位置されることにより下方側に移動する。このとき、操作ピン４５は、係合孔７５内の中途部に位置している。そして、ディスクカートリッジ２０１，２２１は、図２４及び図２７に示すように、ディスクドライブブロック１４７の基台１３０上に各位置決めピン１５６，１５７により位置決めされて装着される。このとき、光磁気ディスク２０３又は光ディスク２２３はディスクテーブル１４９上に載置される。ローディング板２９は、カートリッジホルダ３０を介して、ディスクカートリッジ２０１，２２１を基台１３０に押圧支持する。
【００９２】
ディスクカートリッジ２０１，２２１が基台１３０上に装着されると、この基台１３０上に配設された検出スイッチにより、ディスクカートリッジ２０１，２２１のローディング完了が検出される。ディスクカートリッジ２０１，２２１のローディング完了が検出されると、ローディングモータ１８５の駆動が制御回路により停止される。
【００９３】
この状態において、光磁気ディスク２０３又は光ディスク２２３から反射される光ビームを光学ピックアップ装置１４８に検出し、上記ディスク２０３、２２３に記録された情報信号の読出しが可能な再生モードの実行が可能となる。再生モードは、再生ボタン８が操作されることにより、スピンドルモータが駆動されディスクテーブル１４９に装着された光磁気ディスク２０３又は光ディスク２２３が回転操作され、光学ピックアップ装置１４８による情報信号の読出しが行われることにより実行される。
【００９４】
そして、記録ボタン１０が押圧操作されて、記録モードが選択されると、ローディングモータ１８５は、第１及び第２のカム板２７，２８をさらに後方側に移動させる方向に駆動する。すなわち、第１及び第２のカム板２７，２８は、図１９乃至図２１に示すように、各支持ピン３２，３３，３４，３５を各カム溝７３，７４の前方側の水平部の前端部に挿通させている位置まで移動させる。このとき、検出スイッチ１０１は、図２０に示すように、検出ピン１０２を第１の操作突起９９に押圧されることにより一方側方向に回動される。この検出ピン１０２の回動により、ローディングモータ１８５の駆動が制御回路を介して停止される。
【００９５】
このとき、ヘッド昇降操作アーム１１９は、図２１に示すように、倣いピン１２０がヘッド操作部１１０内に進入することにより、図２５中矢印Ｋ方向に回動され、操作ピン１５４による被操作部１２６の押圧支持を解除し磁気ヘッド１４３の下方側への移動を可能となす。ヘッドアーム１２８は、捩じりコイルバネ１３２の付勢力により、図２５中矢印Ｊ方向の当接部１２７が高さ基準部１２９に当接する位置まで回動されて磁気ヘッド１４３をディスクテーブル１４９上に装着された光磁気ディスク２０３に摺接させる。このとき、磁気ヘッド１４３は、ジンバルバネ１４３の付勢力を受けて所定の接触圧によって光磁気ディスク２０３の主面部に摺接する。
【００９６】
この状態において、光磁気ディスク２０３への光学ピックアップ装置１４８及び磁気ヘッド１４３による情報信号の書込みが可能な記録モードが選択された状態にある。記録モードは、スピンドルモータによりディスクテーブル１４９上に装着された光磁気ディスク２０３が回転操作され、光学ピックアップ装置１４８及び磁気ヘッド１４３による情報信号の書込みが行われる。
【００９７】
そして、再生モード又は記録モードの実行中、あるいは停止ボタン９が押圧操作されてスピンドルモータが停止された停止モード中にイジェクトボタン５が押圧操作されるとディスクカートリッジ２０１，２２１はカートリッジ挿脱口３を介して筐体１の外方に搬出される。
【００９８】
すなわち、イジェクトボタン５が操作されると、ローディングモータ１８５が第１及び第２のカム板２７，２８を図１７又は図２０中矢印Ｚ方向の前方側に移動させる方向に駆動される。ここで、記録モードが実行された後にイジェクトボタン５が操作された場合には、第１及び第２のカム板２７，２８の前方側への移動により、ヘッド昇降操作アーム１１９の倣いピン１２０がヘッド操作カム溝１０９内に戻り、操作ピン１５４が被操作部１２６を押圧支持することによって、磁気ヘッド１４３が光磁気ディスク２０３より離間する上方側に移動される。そして、第１及び第２のカム板２７，２８は、前方側に移動されることにより、図１４及び図１５に示すように、各支持ピン３２，３３，３４，３５を各カム溝７３，７４の傾斜部と第２及び第３の支持スリット８０，８１，８３，８４の後端の下方へ向かう折り曲げ部との交点に位置させ、ローディング板２９をディスクドライブブロック１４７より離間する上方側に移動させる。したがって、ディスクカートリッジ２０１，２２１は、図２３に示すように、ディスクドライブブロック１４７上に浮上される。
【００９９】
さらに、ローディングモータ１８５により第１及び第２のカム板２７，２８が前方側に移動されると、図１０乃至図１２に示すように、ローディング板２９は、上記スライダ板３１との位置関係を維持したままで前方側に移動される。すなわち、第１及び第２のカム板２７，２８は、各カム溝７３，７４の後方側の水平部と傾斜部との連結点に各支持ピン３２，３３，３４，３５を挿通させたままの状態で前方側に移動する。このとき、ローディング板２９とスライダ板３１との位置関係は、引っ張りコイルバネ４９の付勢力によって維持されている。各支持ピン３２，３３，３４，３５は、ローディング板２９を伴って第２及び第３の支持スリット８０，８１，８３，８４の前端位置まで移動する。このとき、ディスクカートリッジ２０１，２２１は、図２３に示すように、ディスクドライブブロック１４７の直上の位置より、図２２に示すように、ディスクドライブブロック１４７の上方側の前方位置まで水平に搬送される。
【０１００】
このようなディスクカートリッジ２０１，２２１の前方に向けての水平な搬送が行われる間に、蓋体開閉アーム１０４は、図２９に示すように、倣いピン１０５がカム溝９８の支軸１６７より離間した区間を通過することにより、伝達アーム１６２を介して蓋体４を開蓋させる。蓋体４は、カートリッジ２０２，２２２の後方側部分がカートリッジ挿脱口３を介して前面パネル２の前方側に突出されるまでの間開蓋されてカートリッジ２０２，２２２に当接することがない。なお、蓋体４は、カートリッジ２０２，２２２の後方側部分が前面パネル２の前方側に突出された後はカートリッジ２０２，２２２によって開蓋状態に維持される。
【０１０１】
ローディング板２９は、図１０乃至図１２に示すように、第１及び第２のカム板２７，２８の前方側への移動により、各前方側の支持ピン３２，３４が各第３の支持スリット８０，８３の前端部に達したときに、より前方側に移動することができず停止する。第１及び第２のカム板２７，２８は、さらに前方側に移動されて、図７乃至図９に示すように、係合孔７５の後端縁部により操作ピン４５を前方側に押圧して、スライダ板３１を引っ張りコイルバネ４９の付勢力に抗して図９中矢印Ｘ方向の前方側に移動させる。すなわち、ローディング板２９がシャーシ１２に対して停止したままの状態で、第１及び第２のカム板２７，２８とスライダ板３１とが前方側に移動する。したがって、各前方側の支持ピン３２，３４が第３の支持スリット８０，８３の前端部に位置したままで各前側カム溝７３が前方側に移動する。また、各後方側の支持ピン３３，３５が第２の支持スリット８１，８４の中途部に位置したままで、各後側カム溝７４が前方側に移動する。
【０１０２】
このようなスライダ板３１の前方側への移動により、ディスクカートリッジ２０１，２２１は、被押圧片４７に押圧されて位置決め壁部６１より離間されカートリッジホルダ３０に対して前方側に移動される。
【０１０３】
そして、ストッパアーム６８は、図９に示すように、スライダ板３１が前方側へ移動されることによってストッパ段部１６９をストッパ壁部８５の前端部よりも前方側に位置させ外側に回動される。このストッパアーム６８は、外側へ回動することにより、ストッパ段部１６９をストッパ壁部８５の前端部に係合させる。このとき、シャッタ部材２１０，２３０は、シャッタ閉蓋片５６が係合孔２１１に係合された位置で停止されカートリッジ２０２，２２２の前方側への移動に伴って開口部２０７を閉塞させる。
【０１０４】
第１及び第２のカム板２７，２８が初期位置である前方側位置まで移動されると、各支持ピン３２，３３，３４，３５は、図７及び図８に示すように、各カム溝７３，７４の後端部に挿通されている。このとき、検出スイッチ１０１は、検出ピン１０２が第２の操作突起１００により押圧されて他方側方向に回動される。検出スイッチ１０１の検出ピン１０２が一方側方向に回動されると、ローディングモータ１８５の駆動が制御回路を介して停止される。
【０１０５】
そして、ディスクカートリッジ２０１，２２１を、図６に示すように、前方側に取出すと、カートリッジ挿入検出アーム６２は、捩じりコイルバネ６７の付勢力により前方側に回動して初期状態に復帰し、当接部６５により当接突起６９を当接支持してストッパアーム６８の内方側への回動を阻止する。また、シャッタ閉蓋片５６は、ディスクカートリッジ２０１，２２１が前方側に取り出されるときには、シャッタ部材２１０，２３０を閉塞させた後外方側に回動されて係合孔２１１より抜け出す。
【０１０６】
【発明の効果】
上述したように、本発明は、ホルダ部材がディスクドライブ部に対向する上昇位置にあるとき、ヘッドアームをホルダ部材より更に上昇した位置に移動させるので、ホルダ部材に装脱される記録ディスクとヘッドとの衝突が防止でき、しかも、ヘッドアームの先端側に設けたヘッドは、記録時にのみ記録ディスクに摺接し、再生モードが選択されたときには記録ディスクから離間するので、ヘッドと記録ディスクの摺接状態を抑え、ヘッド及び記録ディスクの摩耗を抑えることができる。
【０１０７】
また、本発明は、記録モード時において、ヘッドアームを付勢手段の付勢力により位置決め部に当接させているので、先端側に設けたヘッドの位置を正確に位置決め支持でき、ディスクドライブ部に装着された記録ディスクにヘッドを確実にしかも安定した状態で摺接させることができる。
【図面の簡単な説明】
【図１】本発明を適用したディスク記録再生装置を示す斜視図である。
【図２】上記ディスク記録再生装置の要部構成を示す分解斜視図である。
【図３】上記ディスク記録再生装置の磁気ヘッド支持機構を示す斜視図である。
【図４】上記磁気ヘッド支持機構を示す平面図である。
【図５】上記磁気ヘッド支持機構の要部構成を示す側面図である。
【図６】上記ディスク記録再生装置に適用された本発明に係るディスクカートリッジローディング機構を示す平面図である。
【図７】上記ディスクカートリッジローディング機構の一方の側部分の構成を示す側面図である。
【図８】上記ディスクカートリッジローディング機構の他方の側部分の構成を示す側面図である。
【図９】上記ディスクカートリッジローディング機構にディスクカートリッジが挿入された状態を示す平面図である。
【図１０】上記ディスクカートリッジローディング機構においてローディングが開始された状態を示す平面図である。
【図１１】上記ディスクカートリッジローディング機構においてローディングが開始された状態の一方の側部分を示す側面図である。
【図１２】上記ディスクカートリッジローディング機構においてローディングが開始された状態の他方の側部分を示す側面図である。
【図１３】上記ディスクカートリッジローディング機構においてディスクカートリッジを後方側まで搬送した状態を示す平面図である。
【図１４】上記ディスクカートリッジローディング機構においてディスクカートリッジを後方側まで搬送した状態の一方の側部分を示す側面図である。
【図１５】上記ディスクカートリッジローディング機構においてディスクカートリッジを後方側まで搬送した状態の他方の側部分を示す側面図である。
【図１６】上記ディスクカートリッジローディング機構においてローディングが完了し再生モードとなった状態を示す平面図である。
【図１７】上記ディスクカートリッジローディング機構においてローディングが完了し再生モードとなった状態の一方の側部分を示す側面図である。
【図１８】上記ディスクカートリッジローディング機構においてローディングが完了し再生モードとなった状態の他方の側部分を示す側面図である。
【図１９】上記ディスクカートリッジローディング機構の記録モードにおける状態を示す平面図である。
【図２０】上記ディスクカートリッジローディング機構の記録モードにおける状態の一方の側部分を示す側面図である。
【図２１】上記ディスクカートリッジローディング機構の記録モードにおける状態の他方の側部分を示す側面図である。
【図２２】上記ディスク記録再生装置のディスクドライブ部とディスクカートリッジとの構成を示す側面図である。
【図２３】上記ディスクドライブ部上にディスクカートリッジが搬送された状態を示す側面図である。
【図２４】上記ディスクドライブ部上にディスクカートリッジが装着され再生モードとなった状態を示す側面図である。
【図２５】上記ディスクドライブ部上にディスクカートリッジが装着され記録モードとなった状態を示す側面図である。
【図２６】上記ディスクドライブ部の構成を示す平面図である。
【図２７】上記ディスクドライブ部上にディスクカートリッジが装着された状態を示す平面図である。
【図２８】上記ディスク記録再生装置のカートリッジ挿脱口近傍を示す要部縦断面図である。
【図２９】上記ディスク記録再生装置においてカートリッジ挿脱口が開蓋された状態を示す要部縦断面図である。
【図３０】上記ディスク記録再生装置においてディスクカートリッジが装着された後にカートリッジ挿脱口が閉塞された状態を示す要部縦断面図である。
【図３１】上記ディスク記録再生装置において浮動シャーシを支持するダンパの構成を示す縦断面図である。
【図３２】上記ディスク記録再生装置において情報信号の記録及び再生のために使用されるディスクカートリッジの構成を示す斜視図である。
【図３３】上記図３２に示したディスクカートリッジの底面側の構成を示す斜視図である。
【図３４】上記ディスク記録再生装置において情報信号の再生のみのために使用されるディスクカートリッジの構成を示す斜視図である。
【図３５】上記図３４に示したディスクカートリッジの底面側の構成を示す斜視図である。
【図３６】上記ディスク記録再生装置におけるカートリッジ挿脱口を閉塞するための構成を示す縦断面図である。
【図３７】上記図３６に示したディスク記録再生装置にディスクカートリッジが挿入されるときの状態を示す縦断面図である。
【図３８】上記図３６に示したディスク記録再生装置よりディスクカートリッジが排出されるときの状態を示す縦断面図である。
【図３９】上記ディスク記録再生装置におけるカートリッジ挿脱口を閉塞するための構成の他の例を示す縦断面図である。
【図４０】上記図３９に示したディスク記録再生装置にディスクカートリッジが挿入された状態を示す縦断面図である。
【図４１】上記ディスク記録再生装置におけるカートリッジ挿脱口を閉塞するための構成のさらに他の例を示す縦断面図である。
【図４２】上記図４１に示したディスク記録再生装置にディスクカートリッジが挿入された状態を示す縦断面図である。
【符号の説明】
２７，２８  カム板、  ３０  カートリッジホルダ、  １１９  ヘッド昇降操作アーム、  １２５  回動操作アーム、  １２８  ヘッドアーム、  １２９  高さ基準部、  １３２  捩じりコイルバネ、  １４０  支持アーム、  １４２  ジンバルバネ、  １４３  磁気ヘッド、  １４７  ディスクドライブブロック、  １８５  ローディングモータ、  ２０１，２２１  ディスクカートリッジ、    ２０３  光磁気ディスク、  ２２３  光ディスク。
【図１】
0003781783.tif 000002
【図２】
0003781783.tif 000003
【図３】
0003781783.tif 000004
【図４】
0003781783.tif 000005
【図５】
0003781783.tif 000006
【図６】
0003781783.tif 000007
【図７】
0003781783.tif 000008
【図８】
0003781783.tif 000009
【図９】
0003781783.tif 000010
【図１０】
0003781783.tif 000011
【図１１】
0003781783.tif 000012
【図１２】
0003781783.tif 000013
【図１３】
0003781783.tif 000014
【図１４】
0003781783.tif 000015
【図１５】
0003781783.tif 000016
【図１６】
0003781783.tif 000017
【図１７】
0003781783.tif 000018
【図１８】
0003781783.tif 000019
【図１９】
0003781783.tif 000020
【図２０】
0003781783.tif 000021
【図２１】
0003781783.tif 000022
【図２２】
0003781783.tif 000023
【図２３】
0003781783.tif 000024
【図２４】
0003781783.tif 000025
【図２５】
0003781783.tif 000026
【図２６】
0003781783.tif 000027
【図２７】
0003781783.tif 000028
【図２８】
0003781783.tif 000029
【図２９】
0003781783.tif 000030
【図３０】
0003781783.tif 000031
【図３１】
0003781783.tif 000032
【図３２】
0003781783.tif 000033
【図３３】
0003781783.tif 000034
【図３４】
0003781783.tif 000035
【図３５】
0003781783.tif 000036
【図３６】
0003781783.tif 000037
【図３７】
0003781783.tif 000038
【図３８】
0003781783.tif 000039
【図３９】
0003781783.tif 000040
【図４０】
0003781783.tif 000041
【図４１】
0003781783.tif 000042
【図４２】
0003781783.tif 000043